(57)【要約】【課題】この発明は、染みが拡がらず綺麗にしみを取ることができる染み抜き具を提供する。【解決手段】  この染み抜き具は把持部と、この把持部の先端に設けられた叩き部とから構成され、この叩き部は外側に外郭と、この外郭の内側に設けた押圧部とからなり、この外郭より押圧部を短くし、この叩き部をあて布を当てた衣類に打ち付けることにより、しみを拡がらないようにしてしみをとることができる。【選択図】図１
2017000686.tif 000002
【特許請求の範囲】
【請求項１】
衣類に着いたしみを取るためのしみ抜き具において、この染み抜き具は把持部と、この把持部の先端に設けられた叩き部とから構成され、この叩き部は外側に外郭と、この外郭の内側に設けた押圧部とからなり、この外郭より押圧部を短くしたことを特徴とする染み抜き具。
【請求項２】
請求項１の押圧部の外郭は略環状とし、この押圧部は外郭の内側に設けた第一の溝と、この第一の溝の内側に第一の押圧部と、この第一の押圧部の内側に第二の溝と、この第二の溝の内側に第二の押圧部とを有し、この外郭より第一の押圧部を短く、この第一の押圧部より第二の押圧部を短くしたことを特徴とする染み抜き具。
【請求項３】
請求項１の押圧部は、中央に向かって短くなる傾斜部を有することを特徴とする染み抜き具。
【請求項４】
請求項１乃至請求項３の何れかの染み抜き具において、叩き部と反対の端部に擦り部を設けたことを特徴とする染み抜き具。
【請求項５】
請求項４の擦り部は、内側に湾曲した弧状で、洗濯板状の山部と谷部を有することを特徴とする染み抜き具。
【発明の詳細な説明】
【技術分野】
【０００１】  この発明は、衣類に着いたしみを取るための染み抜き具に関する。
【背景技術】
【０００２】  従来、衣類に着いた汚れをスポット的に取る方法としては、汚れた部分に洗剤を染みこませてブラシで擦ったり、揉み洗いをしたりしていた。
【先行技術文献】
【特許文献】
【０００３】
【特許文献１】特許出願公表平１１−５１０７１４
【特許文献２】実開平６−３７９
【特許文献３】特開２００５−２３７４６６
【特許文献４】特開２００３−９９６
【発明の概要】
【発明が解決しようとする課題】
【０００４】  特許文献１から特許文献４で紹介した技術では、汚れをブラシ等により擦って取るものであった。しかし、この方法では、汚れが分散してしまって、返って汚れが拡がったり、輪じみができる問題があった。
【課題を解決するための手段】
【０００５】  衣類に着いたしみを取るためのしみ抜き具において、この染み抜き具は把持部と、この把持部の先端に設けられた叩き部とから構成され、この叩き部は外側に外郭と、この外郭の内側に設けた押圧部とからなり、この外郭より押圧部を短くしたことを特徴とする染み抜き具である。
【発明の効果】
【０００６】  この発明により上記の問題点を解決し、染みが拡がらず綺麗にしみを取ることができる染み抜き具を提供することができる。
【図面の簡単な説明】
【０００７】
【図１】第一の実施例の染み抜き具の斜視図である。
【図２】図１のＡＡ断面図である。
【図３】図１のＣ視である。
【図４】図３のＢＢ断面図である。
【図５】第二の実施例の染み抜き具の斜視図である。
【図６】図５のＥＥ断面図である。
【図７】図７は叩き部の動作を示す説明図である。
【発明を実施するための形態】
【０００８】  衣類に着いたしみを取るためのしみ抜き具において、この染み抜き具は把持部と、この把持部の先端に設けられた叩き部とから構成され、この叩き部は外側に外郭と、この外郭の内側に設けた押圧部とからなり、この外郭より押圧部を短くしたことを特徴とする染み抜き具である。
【０００９】  上記の押圧部の外郭は略環状とし、この押圧部は外郭の内側に設けた第一の溝と、この第一の溝の内側に第一の押圧部と、この第一の押圧部の内側に第二の溝と、この第二の溝の内側に第二の押圧部とを有し、この外郭より第一の押圧部を短く、この第一の押圧部より第二の押圧部を短くしたことを特徴とする染み抜き具である。
【００１０】  上記の押圧部は、中央に向かって短くなる傾斜部を有することを特徴とする染み抜き具である。
上記の染み抜き具において、叩き部と反対の端部に擦り部を設けたことを特徴とする染み抜き具である。
上記の擦り部は、内側に湾曲した弧状で、洗濯板状の山部と谷部を有することを特徴とする染み抜き具である。
【実施例】
【００１１】  図１、図２により第一の実施例を説明する。衣類に着いたしみを取るためのしみ抜き具１０は把持部２０と、把持部２０の先端に設けられた叩き部３０とから構成されている。染み抜き具１０は略円柱状の形状を有している。叩き部３０は、外側に外郭３１と、外郭３１の内側に第一の溝３４と、第一の溝３４の内側に第一の押圧部３２と、第一の押圧部３２の内側に第二の溝３５と、第二の溝３５の内側に第二の押圧部３３とを有している。【００１２】  叩き部３０は、ゴム、エラストマー、軟質プラスチック等の弾力性のある材料で形成するのが好ましい。例えば、ウレタンゴム、シリコンゴム、軟質塩ビ等が挙げられる。外郭３１と第一の押圧部３２はそれぞれ均一な高さを有する略円環状の形状を有し、外郭３１より第一の押圧部３２が短く設定してある。第二の押圧部３３は略円柱状であり、第一の押圧部３２よりさらに短く設定してある。なお、外郭３１の厚さは、押圧部３２の厚さよりも薄くしてある。【００１３】  図３、図４により、擦り部４０を説明する。擦り部４０は、図の下側に湾曲した弧状で洗濯板状の山部４１と谷部４２とから構成されている。山部４１と谷部４２は急角度を有する第一の壁４３と緩やか角度を有する第二の壁４４とから形成されている。つまり、山部４１は弧の外側は緩やかにし、内側は急角度にしてある。また擦り部４０の端面は把持部２０の軸に対してαの角度を持たせてある。即ち、弧の内側を外側より短くしてある。αは例えば約１０度が好ましい。【００１４】  図５、図６は第二の実施例であり、押圧部として、外郭３１の内側に中央部の第二の押圧部３３に向って深くなる傾斜部３８を設けたものである。【００１５】  図７により、第一の実施例の染み抜き具１０の使用法を説明する。染み抜きをしようとする衣類５１をウエスやティッシュペーパー等のあて布５２の上に置き、衣類５１に洗剤を染みこませて、上から叩き部３０を打ち当てて染み抜きをする。【００１６】  この時、ＧからＨのように、まず外郭３１が衣類５１に当接し、次に第一の押圧部３２、第二の押圧部３３と順次衣類５１を押圧して行くことにより、汚れを内側に順次追い込むような作用が働く。このことにより、汚れが外側に拡散するのを防止することができる。ここで、スリット３６により外郭３１と第一の押圧部３２の変形度合を調節している。【００１７】  また、外郭３１が衣類５１に当接すると、密閉空間Ｐが形成され、ポンプ作用により、衣類５１に着いた汚れがあて布５２側に押し出される効果が得られる。外郭３１の厚さは薄くしてあるので、衣類を押す圧力が大きくなり、外郭３１側に空気や洗剤、汚れが抜けるのを防止している。【００１８】  次に、擦り部４０の使用法を説明する。目印２１を上方にして、擦り部４０を衣類５１の汚れた部分にあて、手前に引いて汚れをかきとるようにする。山部４１と谷部４２は内側に湾曲しているので、汚れが拡散しないようにする効果が得られる。叩き部３０で取れない種類の汚れを擦り部４０で取ることができ、補完しあって効果を上げることができる。
【産業上の利用可能性】
【００１９】  この発明の染み抜き具は、携帯に便利なようにキーホルダーに付けても利用可能である。
【符号の説明】
【００２０】１０はしみ抜き具
２０は把持部
２１は目印
３０は叩き部
３１は外郭
３２は第一の押圧部
３３は第二の押圧部
３４は第一の溝
３５は第二の溝
３６はスリット
４０は擦り部
４１は山部
４２は谷部
４３は第一の壁
４４は第二の壁
５１は衣類
５２はあて布
【図１】
2017000686.tif 000003
【図２】
2017000686.tif 000004
【図３】
2017000686.tif 000005
【図４】
2017000686.tif 000006
【図５】
2017000686.tif 000007
【図６】
2017000686.tif 000008
【図７】
2017000686.tif 000009